(57)【要約】【課題】本発明は、クローズドキャプションを有するコンテンツの放送前の確認作業の効率をより向上させることを課題とする。【解決手段】本発明は、映像に字幕が重畳されていない映像ファイル及び字幕データを有するテレビ放送用のコンテンツファイルから、映像に字幕が重畳されている１つ又は複数の字幕有映像ファイル、及び、映像に字幕が重畳されていない字幕無映像ファイルのうち、少なくともいずれかを生成する生成部１１を有する処理装置１０を提供する。【選択図】図２
2019122011.tif 000002
【特許請求の範囲】
【請求項１】
映像に字幕が重畳されていない映像ファイル及び字幕データを有するテレビ放送用のコンテンツファイルから、映像に字幕が重畳されている１つ又は複数の字幕有映像ファイル、及び、映像に字幕が重畳されていない字幕無映像ファイルのうち、少なくともいずれかを生成する生成手段を有する処理装置。
【請求項２】
請求項１に記載の処理装置において、
前記生成手段は、解像度及びアスペクト比の少なくとも一方が互いに異なる複数の映像各々に対応した複数の前記字幕有映像ファイルを生成する処理装置。
【請求項３】
映像に字幕が重畳されていない映像ファイル及び字幕データを有するテレビ放送用のコンテンツファイルから生成された映像に字幕が重畳されている１つ又は複数の字幕有映像ファイル、及び、映像に字幕が重畳されていない字幕無映像ファイルを記憶する外部装置に、コンテンツ要求を送信する送信手段と、
コンテンツを指定した前記コンテンツ要求に応じて前記外部装置から送信された１つ又は複数の字幕有映像ファイル及び字幕無映像ファイルを受信する受信手段と、
１つ又は複数の前記字幕有映像ファイル及び前記字幕無映像ファイルを用いて、指定された前記コンテンツを再生する再生手段と、
を有する端末装置。
【請求項４】
請求項３に記載の端末装置において、
前記再生手段は、１つ又は複数の字幕有映像及び字幕無映像を１つずつ再生し、
画面表示する映像を切り替える切替入力を受付ける受付手段をさらに有し、
前記再生手段は、前記切替入力に応じて、１つ又は複数の字幕有映像及び字幕無映像の間で再生する映像を切り替える端末装置。
【請求項５】
請求項４に記載の端末装置において、
前記再生手段は、前記切替入力に応じて第１の映像の再生から第２の映像の再生に切り替える場合、前記第１の映像の再生停止位置から前記第２の映像の再生を開始し、
前記第１の映像は１つ又は複数の前記字幕有映像及び前記字幕無映像の中の１つであり、前記第２の映像は１つ又は複数の前記字幕有映像及び前記字幕無映像の中の前記第１の映像と異なる映像である端末装置。
【請求項６】
請求項３に記載の端末装置において、
前記再生手段は、時間同期して１つ又は複数の前記字幕有映像及び前記字幕無映像を同時に再生し、１つ又は複数の前記字幕有映像及び前記字幕無映像を並べて画面表示する端末装置。
【請求項７】
請求項６に記載の端末装置において、
再生制御入力を受付ける受付手段をさらに有し、
前記再生手段は、１つ又は複数の前記字幕有映像及び前記字幕無映像のすべてを、前記再生制御入力に応じて、同様に制御する端末装置。
【請求項８】
請求項３に記載の端末装置において、
前記再生手段は、時間同期して１つ又は複数の前記字幕有映像及び前記字幕無映像を同時に再生し、１つ又は複数の前記字幕有映像及び前記字幕無映像を重畳して画面表示する端末装置。
【請求項９】
請求項３に記載の端末装置において、
前記再生手段は、時間同期して１つ又は複数の前記字幕有映像及び前記字幕無映像を同時に再生し、１つ又は複数の前記字幕有映像及び前記字幕無映像各々の一部分の映像を並べて画面表示する端末装置。
【請求項１０】
請求項９に記載の端末装置において、
前記一部分の映像の大きさを変更する変更入力を受付ける受付手段をさらに有し、
前記再生手段は、前記変更入力に応じて、１つ又は複数の前記字幕有映像及び前記字幕無映像各々の画面表示される一部分の映像の大きさを変更する端末装置。
【請求項１１】
請求項３から１０のいずれか１項に記載の端末装置において、
前記再生手段は、字幕有時間帯よりも字幕無時間帯の再生スピードを速くする端末装置。
【請求項１２】
請求項３から１０のいずれか１項に記載の端末装置において、
前記再生手段は、字幕有時間帯、及び、字幕有時間帯の前後所定時間分の付加時間帯よりも、他の時間帯の再生スピードを速くする端末装置。
【請求項１３】
請求項３から１０のいずれか１項に記載の端末装置において、
前記再生手段は、字幕無時間帯をスキップ又は早送りする端末装置。
【請求項１４】
請求項３から１０のいずれか１項に記載の端末装置において、
前記再生手段は、字幕有時間帯、及び、字幕有時間帯の前後所定時間分の付加時間帯の両方を除く時間帯を、スキップ又は早送りする端末装置。
【請求項１５】
請求項３から１０のいずれか１項に記載の端末装置において、
前記再生手段は、人の声が存在する時間帯よりも人の声が存在しない時間帯の再生スピードを速くする端末装置。
【請求項１６】
請求項３から１０のいずれか１項に記載の端末装置において、
前記再生手段は、人の声が存在しない時間帯をスキップ又は早送りする端末装置。
【請求項１７】
再生制御入力を受付ける受付手段と、
時間同期して１つ又は複数の字幕有映像及び字幕無映像を同時に再生し、１つ又は複数の前記字幕有映像及び前記字幕無映像を並べて画面表示し、１つ又は複数の前記字幕有映像及び前記字幕無映像のすべてを前記再生制御入力に応じて同様に制御する再生手段と、
を有する再生装置。
【請求項１８】
コンピュータが、
映像に字幕が重畳されていない映像ファイル及び字幕データを有するテレビ放送用のコンテンツファイルから、映像に字幕が重畳されている１つ又は複数の字幕有映像ファイル、及び、映像に字幕が重畳されていない字幕無映像ファイルのうち、少なくともいずれかを生成する生成工程を実行する処理方法。
【請求項１９】
コンピュータを、
映像に字幕が重畳されていない映像ファイル及び字幕データを有するテレビ放送用のコンテンツファイルから、映像に字幕が重畳されている１つ又は複数の字幕有映像ファイル、及び、映像に字幕が重畳されていない字幕無映像ファイルののうち、少なくともいずれかを生成する生成手段として機能させるプログラム。
【請求項２０】
コンピュータが、
映像に字幕が重畳されていない映像ファイル及び字幕データを有するテレビ放送用のコンテンツファイルから生成された映像に字幕が重畳されている１つ又は複数の字幕有映像ファイル、及び、映像に字幕が重畳されていない字幕無映像ファイルを記憶する外部装置に、コンテンツ要求を送信する送信工程と、
コンテンツを指定した前記コンテンツ要求に応じて前記外部装置から送信されたた１つ又は複数の字幕有映像ファイル及び字幕無映像ファイルを受信する受信工程と、
１つ又は複数の前記字幕有映像ファイル及び前記字幕無映像ファイルを用いて、指定された前記コンテンツを再生する再生工程と、
を実行する処理方法。
【請求項２１】
コンピュータを、
映像に字幕が重畳されていない映像ファイル及び字幕データを有するテレビ放送用のコンテンツファイルから生成された映像に字幕が重畳されている１つ又は複数の字幕有映像ファイル、及び、映像に字幕が重畳されていない字幕無映像ファイルを記憶する外部装置に、コンテンツ要求を送信する送信手段、
コンテンツを指定した前記コンテンツ要求に応じて前記外部装置から送信されたた１つ又は複数の字幕有映像ファイル及び字幕無映像ファイルを受信する受信手段、
１つ又は複数の前記字幕有映像ファイル及び前記字幕無映像ファイルを用いて、指定された前記コンテンツを再生する再生手段、
として機能させるプログラム。
【請求項２２】
コンピュータが、
再生制御入力を受付ける受付工程と、
時間同期して１つ又は複数の字幕有映像及び字幕無映像を同時に再生し、１つ又は複数の前記字幕有映像及び前記字幕無映像を並べて画面表示し、１つ又は複数の前記字幕有映像及び前記字幕無映像のすべてを前記再生制御入力に応じて同様に制御する再生工程と、
を実行する再生方法。
【請求項２３】
コンピュータを、
再生制御入力を受付ける受付手段、
時間同期して１つ又は複数の字幕有映像及び字幕無映像を同時に再生し、１つ又は複数の前記字幕有映像及び前記字幕無映像を並べて画面表示し、１つ又は複数の前記字幕有映像及び前記字幕無映像のすべてを前記再生制御入力に応じて同様に制御する再生手段、
として機能させるプログラム。
【発明の詳細な説明】
【技術分野】
【０００１】
本発明は、処理装置、端末装置、再生装置、処理方法、再生方法及びプログラムに関する。
【背景技術】
【０００２】
特許文献１には、字幕変換部と、記憶部と、データ生成部と、出力部とを有する字幕データ生成装置が開示されている。字幕変換部は、放送信号から抽出された字幕データから字幕テキストと字幕テキストの提示時刻の情報とを取得し、字幕テキストを提示時刻と関連付けて出力する。記憶部は、放送信号に基づいてエンコードされた動画ファイルを記憶する。データ生成部は、記憶部が記憶する動画ファイルの提示時刻に同期するように、字幕テキストを含んだ字幕ファイルを生成する。出力部は、記憶部から読み出した動画ファイルとデータ生成部が生成した字幕ファイルとを出力する。
【先行技術文献】
【特許文献】
【０００３】
【特許文献１】特開２０１７−２０４６９５号公報
【発明の概要】
【発明が解決しようとする課題】
【０００４】
地上デジタル放送の普及に伴い、字幕放送が一般的になってきた。一方で、クローズドキャプション（表示／非表示の切替が可能な字幕）を有するコンテンツは専用機器でなければプレビューできないという問題がある。このため、クローズドキャプションを有するコンテンツの放送前の確認作業は、専用機器がある場所で行わなければならない。当該場所的制限のため、作業効率が悪くなる。
【０００５】
本発明は、クローズドキャプションを有するコンテンツの放送前の確認作業の効率を、より向上させることを課題とする。
【課題を解決するための手段】
【０００６】
本発明によれば、
映像に字幕が重畳されていない映像ファイル及び字幕データを有するテレビ放送用のコンテンツファイルから、映像に字幕が重畳されている１つ又は複数の字幕有映像ファイル、及び、映像に字幕が重畳されていない字幕無映像ファイルのうち、少なくともいずれかを生成する生成手段を有する処理装置が提供される。
【０００７】
また、本発明によれば、
映像に字幕が重畳されていない映像ファイル及び字幕データを有するテレビ放送用のコンテンツファイルから生成された映像に字幕が重畳されている１つ又は複数の字幕有映像ファイル、及び、映像に字幕が重畳されていない字幕無映像ファイルを記憶する外部装置に、コンテンツ要求を送信する送信手段と、
コンテンツを指定した前記コンテンツ要求に応じて前記外部装置から送信されたた１つ又は複数の字幕有映像ファイル及び字幕無映像ファイルを受信する受信手段と、
１つ又は複数の前記字幕有映像ファイル及び前記字幕無映像ファイルを用いて、指定された前記コンテンツを再生する再生手段と、
を有する端末装置が提供される。
【０００８】
また、本発明によれば、
再生制御入力を受付ける受付手段と、
時間同期して１つ又は複数の字幕有映像及び字幕無映像を同時に再生し、１つ又は複数の前記字幕有映像及び前記字幕無映像を並べて画面表示し、１つ又は複数の前記字幕有映像及び前記字幕無映像のすべてを前記再生制御入力に応じて同様に制御する再生手段と、
を有する再生装置が提供される。
【０００９】
また、本発明によれば、
コンピュータが、
映像に字幕が重畳されていない映像ファイル及び字幕データを有するテレビ放送用のコンテンツファイルから、映像に字幕が重畳されている１つ又は複数の字幕有映像ファイル、及び、映像に字幕が重畳されていない字幕無映像ファイルのうち、少なくともいずれかを生成する生成工程を実行する処理方法が提供される。
【００１０】
また、本発明によれば、
コンピュータを、
映像に字幕が重畳されていない映像ファイル及び字幕データを有するテレビ放送用のコンテンツファイルから、映像に字幕が重畳されている１つ又は複数の字幕有映像ファイル、及び、映像に字幕が重畳されていない字幕無映像ファイルのうち、少なくともいずれかを生成する生成手段として機能させるプログラムが提供される。
【００１１】
また、本発明によれば、
コンピュータが、
映像に字幕が重畳されていない映像ファイル及び字幕データを有するテレビ放送用のコンテンツファイルから生成された映像に字幕が重畳されている１つ又は複数の字幕有映像ファイル、及び、映像に字幕が重畳されていない字幕無映像ファイルを記憶する外部装置に、コンテンツ要求を送信する送信工程と、
コンテンツを指定した前記コンテンツ要求に応じて前記外部装置から送信されたた１つ又は複数の字幕有映像ファイル及び字幕無映像ファイルを受信する受信工程と、
１つ又は複数の前記字幕有映像ファイル及び前記字幕無映像ファイルを用いて、指定された前記コンテンツを再生する再生工程と、
を実行する処理方法が提供される。
【００１２】
また、本発明によれば、
コンピュータを、
映像に字幕が重畳されていない映像ファイル及び字幕データを有するテレビ放送用のコンテンツファイルから生成された映像に字幕が重畳されている１つ又は複数の字幕有映像ファイル、及び、映像に字幕が重畳されていない字幕無映像ファイルを記憶する外部装置に、コンテンツ要求を送信する送信手段、
コンテンツを指定した前記コンテンツ要求に応じて前記外部装置から送信されたた１つ又は複数の字幕有映像ファイル及び字幕無映像ファイルを受信する受信手段、
１つ又は複数の前記字幕有映像ファイル及び前記字幕無映像ファイルを用いて、指定された前記コンテンツを再生する再生手段、
として機能させるプログラムが提供される。
【００１３】
また、本発明によれば、
コンピュータが、
再生制御入力を受付ける受付工程と、
時間同期して１つ又は複数の字幕有映像及び字幕無映像を同時に再生し、１つ又は複数の前記字幕有映像及び前記字幕無映像を並べて画面表示し、１つ又は複数の前記字幕有映像及び前記字幕無映像のすべてを前記再生制御入力に応じて同様に制御する再生工程と、
を実行する再生方法が提供される。
【００１４】
また、本発明によれば、
コンピュータを、
再生制御入力を受付ける受付手段、
時間同期して１つ又は複数の字幕有映像及び字幕無映像を同時に再生し、１つ又は複数の前記字幕有映像及び前記字幕無映像を並べて画面表示し、１つ又は複数の前記字幕有映像及び前記字幕無映像のすべてを前記再生制御入力に応じて同様に制御する再生手段、
として機能させるプログラムが提供される。
【発明の効果】
【００１５】
本発明によれば、クローズドキャプションを有するコンテンツの放送前の確認作業の効率がより向上する。
【図面の簡単な説明】
【００１６】
【図１】本実施形態の装置のハードウエア構成の一例を示す図である。
【図２】本実施形態の処理装置の機能ブロック図の一例を示す図である。
【図３】本実施形態のコンテンツファイルのデータ構造の一例を示す図である。
【図４】本実施形態の処理装置の処理を説明する図である。
【図５】本実施形態の処理装置の処理を説明する図である。
【図６】本実施形態の端末装置の機能ブロック図の一例を示す図である。
【図７】本実施形態の端末装置の処理の流れの一例を示すフローチャートである。
【図８】本実施形態の端末装置の機能ブロック図の一例を示す図である。
【図９】本実施形態の端末装置の再生制御の一例を説明する図である。
【図１０】本実施形態の端末装置の再生制御の一例を説明する図である。
【図１１】本実施形態の端末装置に表示される画面の一例を模式的に示す図である。
【図１２】本実施形態の端末装置に表示される画面の一例を模式的に示す図である。
【図１３】本実施形態の端末装置に表示される画面の一例を模式的に示す図である。
【図１４】本実施形態の端末装置の再生制御の一例を説明する図である。
【図１５】本実施形態の端末装置の再生制御の一例を説明する図である。
【図１６】本実施形態の再生装置の機能ブロック図の一例を示す図である。
【図１７】本実施形態の端末装置の再生制御の一例を説明する図である。
【発明を実施するための形態】
【００１７】
＜第１の実施形態＞
まず、本実施形態のコンテンツ確認システムの概要を説明する。本実施形態のコンテンツ確認システムは、処理装置と、端末装置とを有する。
【００１８】
処理装置は、クローズドキャプションを有するテレビ放送用のコンテンツのファイルから、映像に字幕が重畳されている字幕有映像ファイル、及び、映像に字幕が重畳されていない字幕無映像ファイルのうちの少なくともいずれかを生成する。処理装置により生成された映像ファイル（１つ又は複数の字幕有映像ファイル、字幕無映像ファイル等）は、情報をインターネット経由で提供するサーバに記憶される。
【００１９】
端末装置は、サーバに、映像ファイル（１つ又は複数の字幕有映像ファイル、字幕無映像ファイル等）を要求する。サーバは、端末装置からの要求に応じて、映像ファイル（１つ又は複数の字幕有映像ファイル、字幕無映像ファイル等）を端末装置に提供する。端末装置は、サーバから受信した映像ファイル（１つ又は複数の字幕有映像ファイル、字幕無映像ファイル等）を処理し、字幕有映像、字幕無映像等を再生する。
【００２０】
このような本実施形態のコンテンツ確認システムによれば、インターネットに接続する機能、及び、映像ファイルを処理（デコード等）してコンテンツを再生する機能を有する端末装置があれば、クローズドキャプションを有するコンテンツをプレビューすることが可能となる。すなわち、クローズドキャプションを有するコンテンツを再生するための専用機器がない場所であっても、クローズドキャプションを有するコンテンツのプレビューが可能となる。
【００２１】
また、本実施形態のコンテンツ確認システムでは、映像ファイル（１つ又は複数の字幕有映像ファイル、字幕無映像ファイル等）をインターネット経由で提供するので、字幕有映像や字幕無映像等を視聴する場所の自由度は大きくなる。結果、クローズドキャプションを有するコンテンツの放送前の確認作業の効率がより向上する。
【００２２】
以下、本実施形態の処理装置及び端末装置の構成を詳細に説明する。なお、本実施形態の処理装置及び端末装置のハードウエア構成と、以下のすべての実施形態の処理装置及び端末装置のハードウエア構成は同様である。
【００２３】
まず、処理装置及び端末装置のハードウエア構成の一例について説明する。本実施形態の処理装置及び端末装置各々が備える各機能は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００２４】
図１は、本実施形態の処理装置及び端末装置各々のハードウエア構成を例示するブロック図である。図１に示すように、処理装置及び端末装置各々は、プロセッサ１Ａ、メモリ２Ａ、入出力インターフェイス３Ａ、周辺回路４Ａ、バス５Ａを有する。周辺回路４Ａには、様々なモジュールが含まれる。なお、処理装置及び端末装置は周辺回路４Ａを有さなくてもよい。
【００２５】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵ（Central Processing Unit） やＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、入力装置（例：キーボード、マウス、マイク等）、外部装置、外部サーバ、外部センサー等から情報を取得するためのインターフェイスや、出力装置（例：ディスプレイ、スピーカ、プリンター、メーラ等）、外部装置、外部サーバ等に情報を出力するためのインターフェイスなどを含む。プロセッサ１Ａは、各モジュールに指令を出し、それらの演算結果をもとに演算を行うことができる。
【００２６】
次に、処理装置１０の機能構成を説明する。図２に、処理装置１０の機能ブロック図の一例を示す。図示するように、処理装置１０は、生成部１１を有する。
【００２７】
生成部１１は、クローズドキャプションを有するテレビ放送用のコンテンツファイル（以下、「ＣＣ付きＴＶ用コンテンツファイル」）から、１つ又は複数の字幕有映像ファイル及び字幕無映像ファイルのうち、少なくともいずれかを生成する。例えば、生成部１１は、「ＣＣ付きＴＶ用コンテンツファイルから、字幕有映像ファイル及び字幕無映像ファイルの両方を生成してもよい。その他、生成部１１は、字幕有映像ファイルだけを生成してもよい。その他、生成部１１は、字幕無映像ファイルだけを生成してもよい。
【００２８】
ＣＣ付きＴＶ用コンテンツファイルは、映像に字幕が重畳されていない映像ファイル及び字幕データを有する。図３に、ＣＣ付きＴＶ用コンテンツファイルのデータ構造の一例を模式的に示す。ＣＣ付きＴＶ用コンテンツファイルは、例えばＭＸＦ（material exchange format）ファイルである。図示するように、ＣＣ付きＴＶ用コンテンツファイルは、メタデータと、映像に字幕が重畳されていない映像ファイル（以下、「元映像ファイル」という場合がある）と、音声ファイルと、アンシラリーデータとを含むことができる。
【００２９】
メタデータは、映像・音声の技術的パラメータ、コンテンツの内容に関する情報（例：出演者等）、タイムコード等を示す。
【００３０】
アンシラリーデータは、字幕データを含む。字幕データは、映像に重畳する文字列、各文字列の表示タイミング（表示開始タイミング及び表示終了タイミング）、各文字列の表示位置（映像内の位置）等を示す。なお、字幕データは、解像度及びアスペクト比の少なくとも一方が互いに異なる複数の映像形式毎に、上記文字列、表示タイミング及び表示位置等を示してもよい。上記映像形式としては、ＨＤ（high definition video）、ＳＤ（standard definition television）、ワンセグ（携帯）等が例示される。
【００３１】
生成部１１は、ＣＣ付きＴＶ用コンテンツファイルに含まれる元映像ファイルをトランスコード（ダウンコンバート）し、字幕無映像ファイルを生成することができる。
【００３２】
また、生成部１１は、ＣＣ付きＴＶ用コンテンツファイルに含まれる元映像ファイルの映像に文字を重畳し、当該ファイルをトランスコード（ダウンコンバート）して、字幕有映像ファイルを生成することができる。
【００３３】
例えば、生成部１１は、字幕データに含まれる各文字列及び各文字列の表示タイミングに基づき、元映像ファイルが有する複数のフレームの中から、各文字列を重畳するフレームを特定する。そして、生成部１１は、特定したフレームの所定位置（字幕データで示される各文字列の表示位置）に各文字列を重畳する。当該処理を、文字列を重畳するすべてのフレームに対して行うことで、映像に字幕が重畳された映像ファイルが生成される。なお、生成部１１は、解像度及びアスペクト比の少なくとも一方が互いに異なる複数の映像形式（例：ＨＤ、ＳＤ、ワンセグ）毎に、字幕有映像ファイルを生成してもよい。
【００３４】
生成部１１は、例えば、図４に示すように、１つのＣＣ付きＴＶ用コンテンツファイルから、４つの映像ファイルを生成してもよい。なお、生成する映像ファイルの数は図４に示すものに限定されない。例えば、図５に示すように、１つのＣＣ付きＴＶ用コンテンツファイルから、２つの映像ファイルを生成してもよい。この場合に生成される字幕有映像ファイルの映像形式は任意である。その他、図示しないが、生成部１１は、他の数の映像ファイルを生成してもよい。
【００３５】
ＣＣ付きＴＶ用コンテンツファイルは、ＣＭ（commercial message）コンテンツのファイルであってもよいし、番組コンテンツのファイルであってもよい。また、字幕有映像ファイル及び字幕無映像ファイルのファイル形式は特段制限されないが、例えばＭＰ４等が例示される。
【００３６】
生成部１１により生成された映像ファイル（１つ又は複数の字幕有映像ファイル、字幕無映像ファイル等）、及び、テレビ放送用のコンテンツファイルに含まれていた音声ファイルは、コンテンツの識別情報（例：コンテンツ名）と対応付けて、情報をインターネット経由で提供するサーバに記憶される。例えば、処理装置１０が上記サーバに情報を送信してもよいし、その他の手段で上記サーバに上記情報が記憶されてもよいし、処理装置１０が上記サーバであってもよい。以下、コンテンツの識別情報（例：コンテンツ名）に対応付けて映像ファイル（１つ又は複数の字幕有映像ファイル、字幕無映像ファイル等）、及び、音声ファイルを記憶するサーバを、「コンテンツ提供サーバ」という。
【００３７】
次に、端末装置２０の機能構成を説明する。図６に、端末装置２０の機能ブロック図の一例を示す。図示するように、端末装置２０は、送信部２１と、受信部２２と、再生部２３とを有する。端末装置２０は、例えばパーソナルコンピュータ、スマートフォン、タブレット端末等であるが、その他であってもよい。
【００３８】
送信部２１は、コンテンツ提供サーバ（外部装置）に、コンテンツ要求を送信する。コンテンツ要求では、例えば１つのコンテンツが指定される。コンテンツ提供サーバは、当該コンテンツ要求に応じて、指定されたコンテンツに対応付けられている映像ファイル（１つ又は複数の字幕有映像ファイル、字幕無映像ファイル等）、及び、音声ファイルを返信する。映像及び音声を含む動画ファイルの提供方式は、プログレッシブダウンロード方式やストリーミング方式等が例示される。
【００３９】
受信部２２は、コンテンツ提供サーバから送信された映像ファイル（１つ又は複数の字幕有映像ファイル、字幕無映像ファイル等）、及び、音声ファイルを受信する。
【００４０】
再生部２３は、受信部２２により受信された映像ファイル（１つ又は複数の字幕有映像ファイル、字幕無映像ファイル等）、及び、音声ファイルを用いて、指定されたコンテンツを再生する。結果、例えばディスプレイを介して映像が表示され、スピーカを介して音声が出力される。字幕有映像ファイルが処理された場合、字幕有映像が再生される。字幕無映像ファイルが処理された場合、字幕無映像が再生される。
【００４１】
図７に、端末装置２０の処理の流れの一例を示す。Ｓ１０では、送信部２１は、コンテンツ提供サーバ（外部装置）に、コンテンツ要求を送信する。コンテンツ要求では、例えば１つのコンテンツが指定される。
【００４２】
Ｓ１１では、受信部２２は、Ｓ１０のコンテンツ要求に応じてコンテンツ提供サーバから送信された映像ファイル（１つ又は複数の字幕有映像ファイル、字幕無映像ファイル等）、及び、音声ファイルを受信する。
【００４３】
Ｓ１２では、再生部２３は、Ｓ１１で受信された動画ファイル（映像ファイル、音声ファイルを含む）を処理し、コンテンツを再生する。字幕有映像ファイルが処理された場合、字幕有映像が再生される。字幕無映像ファイルが処理された場合、字幕無映像が再生される。
【００４４】
以上説明した本実施形態のコンテンツ確認システムによれば、インターネットに接続する機能、及び、映像ファイルを処理してコンテンツを再生する機能を有する端末装置２０があれば、クローズドキャプションを有するコンテンツをプレビューすることが可能となる。すなわち、クローズドキャプションを有するコンテンツを再生するための専用機器がない場所であっても、クローズドキャプションを有するコンテンツのプレビューが可能となる。
【００４５】
また、本実施形態のコンテンツ確認システムでは、字幕有映像ファイル及び字幕無映像ファイルをインターネット経由で提供するので、字幕有映像及び字幕無映像を視聴する場所の自由度は大きくなる。結果、クローズドキャプションを有するコンテンツの放送前の確認作業の効率がより向上する。
【００４６】
＜第２の実施形態＞
本実施形態のコンテンツ確認システムでは、端末装置２０が、１つ又は複数の字幕有映像ファイル及字幕無映像ファイルを用いて、特徴的な方法でコンテンツを再生する。処理装置１０の構成は、第１の実施形態と同様である。以下、端末装置２０の構成を詳細に説明する。
【００４７】
図８に、端末装置２０の機能ブロック図の一例を示す。図示するように、端末装置２０は、送信部２１と、受信部２２と、再生部２３と、受付部２４とを有する。送信部２１及び受信部２２の機能構成は、第１の実施形態と同様である。再生部２３は、第１の実施形態で説明した機能に加えて、以下で説明する機能を有する。
【００４８】
再生部２３は、１つ又は複数の字幕有映像及び字幕無映像を１つずつ再生する。受付部２４は、画面表示する映像を切り替える切替入力を受付ける。そして、再生部２３は、切替入力に応じて、１つ又は複数の字幕有映像及び字幕無映像の間で再生する映像を切り替える。
【００４９】
なお、受付部２４は、マウス、キーボード、タッチパネルディスプレイ、物理ボタン、マイク等の各種入力装置を介して、ユーザから各種入力を受付ける（以下のすべての実施形態において同様）。
【００５０】
「切替方法１」
例えば、再生部２３は、切替入力に応じて第１の映像の再生から第２の映像の再生に切り替える場合、第１の映像の再生停止位置（コンテンツの冒頭からの経過時間）から第２の映像の再生を開始してもよい。
【００５１】
第１の映像は１つ又は複数の字幕有映像及び字幕無映像の中の１つであり、第２の映像は１つ又は複数の字幕有映像及び字幕無映像の中の第１の映像と異なる映像である。再生停止位置は、コンテンツの冒頭からの経過時間で示されてもよい。
【００５２】
図９に、１つの字幕有映像と１つの字幕無映像とを切り替えながら再生する処理の一例を示す。ｔｓはコンテンツ開始位置を示し、ｔｅはコンテンツ終了位置を示す。ｔ１乃至ｔ４は、ｔｓからの経過時間を示す。
【００５３】
図示する例の場合、まず、字幕無映像が再生される。このときの再生開始位置はｔｓである。そして、字幕無映像をｔ１まで再生した時点で切替入力がなされている。この切替入力により表示される映像が、字幕無映像から字幕有映像に切り替わる。そして、字幕有映像は、ｔ１の時点から再生される。その後、字幕有映像をｔ２まで再生した時点で切替入力がなされている。この切替入力により表示される映像が字幕有映像から字幕無映像に切り替わる。そして、字幕無映像は、ｔ２の時点から再生される。その後、字幕無映像をｔ３まで再生した時点で切替入力がなされている。この切替入力により表示される映像が字幕無映像から字幕有映像に切り替わる。そして、字幕有映像は、ｔ３の時点から再生される。その後、字幕有映像をｔ４まで再生した時点で切替入力がなされている。この切替入力により表示される映像が字幕有映像から字幕無映像に切り替わる。そして、字幕無映像は、ｔ４の時点から再生される。
【００５４】
図１０に、複数の字幕有映像と１つの字幕無映像とを切り替えながら再生する処理の一例を示す。ｔｓはコンテンツ開始位置を示し、ｔｅはコンテンツ終了位置を示す。ｔ１乃至ｔ６は、ｔｓからの経過時間を示す。
【００５５】
図示する例の場合、まず、字幕無映像が再生される。このときの再生開始位置はｔｓである。そして、字幕無映像をｔ１まで再生した時点で切替入力がなされている。この切替入力により表示される映像が、字幕無映像から字幕有映像（ＳＤ）に切り替わる。そして、字幕有映像（ＳＤ）は、ｔ１の時点から再生される。その後、字幕有映像（ＳＤ）をｔ２まで再生した時点で切替入力がなされている。この切替入力により表示される映像が字幕有映像（ＳＤ）から字幕有映像（ＨＤ）に切り替わる。そして、字幕有映像（ＨＤ）は、ｔ２の時点から再生される。その後、字幕有映像（ＨＤ）をｔ３まで再生した時点で切替入力がなされている。この切替入力により表示される映像が字幕有映像（ＨＤ）から字幕有映像（ＳＤ）に切り替わる。そして、字幕有映像（ＳＤ）は、ｔ３の時点から再生される。
【００５６】
その後、字幕有映像（ＳＤ）をｔ４まで再生した時点で切替入力がなされている。この切替入力により表示される映像が字幕有映像（ＳＤ）から字幕有映像（携帯）に切り替わる。そして、字幕有映像（携帯）は、ｔ４の時点から再生される。その後、字幕有映像（携帯）をｔ５まで再生した時点で切替入力がなされている。この切替入力により表示される映像が字幕有映像（携帯）から字幕無映像に切り替わる。そして、字幕無映像は、ｔ５の時点から再生される。その後、字幕無映像をｔ６まで再生した時点で切替入力がなされている。この切替入力により表示される映像が字幕無映像から字幕有映像（ＨＤ）に切り替わる。そして、字幕有映像（ＨＤ）は、ｔ６の時点から再生される。
【００５７】
当該切替方法の変形例として、再生部２３は、切替入力に応じて第１の映像の再生から第２の映像の再生に切り替える場合、第１の映像の再生停止位置（コンテンツの冒頭からの経過時間）より所定時間前から第２の映像の再生を開始してもよい。
【００５８】
図１７に、当該変形例の処理の一例を示す。ｔｓはコンテンツ開始位置を示し、ｔｅはコンテンツ終了位置を示す。ｔ１乃至ｔ４は、ｔｓからの経過時間を示す。
【００５９】
図示する例の場合、まず、字幕無映像が再生される。このときの再生開始位置はｔｓである。そして、字幕無映像をｔ１まで再生した時点で切替入力がなされている。この切替入力により表示される映像が、字幕無映像から字幕有映像に切り替わる。そして、字幕有映像は、（ｔ１−ｑ）の時点（ｔ１から時間ｑだけさかのぼった位置）から再生される。その後、字幕有映像をｔ２まで再生した時点で切替入力がなされている。この切替入力により表示される映像が字幕有映像から字幕無映像に切り替わる。そして、字幕無映像は、（ｔ２−ｑ）の時点から再生される。その後、字幕無映像をｔ３まで再生した時点で切替入力がなされている。この切替入力により表示される映像が字幕無映像から字幕有映像に切り替わる。そして、字幕有映像は、（ｔ３−ｑ）の時点から再生される。その後、字幕有映像をｔ４まで再生した時点で切替入力がなされている。この切替入力により表示される映像が字幕有映像から字幕無映像に切り替わる。そして、字幕無映像は、（ｔ４−ｑ）の時点から再生される。
【００６０】
１つ又は複数の字幕有映像及び字幕無映像の違いは、「字幕が重畳されているか否か」、「解像度」、「アスペクト比」等であり、内容やコンテンツ長は一致している。このため、第１の映像の再生停止位置（例：コンテンツの冒頭から時間ｔ経過した位置）から第２の映像の再生を開始する上記再生方法によれば、切替入力に応じて字幕の有無、字幕表示位置、字幕の大きさ、解像度、アスペクト比等が切り替わるが、コンテンツは途切れることのないシームレスな切替を実現できる。
【００６１】
「切替方法２」
再生部２３は、複数の映像毎に、再生停止位置（コンテンツの冒頭からの経過時間）を管理してもよい。そして、再生部２３は、切替入力により画面表示される映像が切り替えられると、新たに画面表示された映像を当該映像の前回の再生停止位置から再生してもよい。
【００６２】
第１の映像は１つ又は複数の字幕有映像及び字幕無映像の中の１つであり、第２の映像は１つ又は複数の字幕有映像及び字幕無映像の中の第１の映像と異なる映像である。再生停止位置は、コンテンツの冒頭からの経過時間で示されてもよい。
【００６３】
ここで、当該切替方法の具体例を、字幕無映像と字幕有映像とを切り替えながら画面表示する場合を例に説明する。まず字幕無映像がｔｓから再生され、ｔ１まで再生した時点で切替入力がなされたとする。この切替入力により表示される映像が、字幕無映像から字幕有映像に切り替わる。そして、字幕有映像は、ｔｓの時点から再生される。その後、字幕有映像をｔ´１まで再生した時点で切替入力がなされたとする。この切替入力により表示される映像が、字幕有映像から字幕無映像に切り替わる。そして、字幕無映像は、ｔ１の時点から再生される。ｔ１とｔ´１は同じであってもよいし、異なってもよい。その後、字幕無映像をｔ２まで再生した時点で切替入力がなされたとする。この切替入力により表示される映像が、字幕無映像から字幕有映像に切り替わる。そして、字幕有映像は、ｔ´１の時点から再生される。以降、同様の処理が繰り返される。
【００６４】
なお、上記例の場合、再生部２３は、一方の映像から他方の映像への切替、及び、その逆の切替の両方とも、ユーザの切替入力に応じて行う。変形例として、再生部２３は、一方の映像から他方の映像への切替はユーザの切替入力に応じて行い、その逆の切替は自動的に行ってもよい。
【００６５】
ここで、当該変形例の具体例を、字幕無映像と字幕有映像とを切り替えながら画面表示する場合を例に説明する。まず字幕無映像がｔｓから再生され、ｔ１まで再生した時点でユーザの切替入力がなされたとする。この切替入力により表示される映像が、字幕無映像から字幕有映像に切り替わる。そして、字幕有映像は、ｔｓの時点から再生される。その後、字幕有映像をｔ１まで再生した時点で、再生部２３は画面表示する映像を、字幕有映像から字幕無映像に自動的に切り替える。そして、字幕無映像は、ｔ１の時点から再生される。その後、字幕無映像をｔ２まで再生した時点でユーザの切替入力がなされたとする。この切替入力により表示される映像が、字幕無映像から字幕有映像に切り替わる。そして、字幕有映像は、ｔ１の時点から再生される。その後、字幕有映像をｔ２まで再生した時点で、再生部２３は画面表示する映像を、字幕有映像から字幕無映像に自動的に切り替える。そして、字幕無映像は、ｔ２の時点から再生される。以降、同様の処理が繰り返される。
【００６６】
「切替方法３」
再生部２３は、切替入力に応じて第１の映像の再生から第２の映像の再生に切り替える場合、第２の映像をコンテンツの冒頭から再生してもよい。すなわち、再生部２３は、切替入力により画面表示される映像が切り替えられると、新たに画面表示された映像をコンテンツの冒頭から再生してもよい。
【００６７】
第１の映像は１つ又は複数の字幕有映像及び字幕無映像の中の１つであり、第２の映像は１つ又は複数の字幕有映像及び字幕無映像の中の第１の映像と異なる映像である。再生停止位置は、コンテンツの冒頭からの経過時間で示されてもよい。
【００６８】
以上説明した本実施形態のコンテンツ確認システムによれば、第１の実施形態と同様な作用効果を実現できる。また、本実施形態の端末装置２０によれば、１つ又は複数の字幕有映像及び字幕無映像を切り替えながら再生することができる。このため、これらの映像を互いに比較しながら、連続的に確認することができる。
【００６９】
＜第３の実施形態＞
本実施形態のコンテンツ確認システムでは、端末装置２０が、１つ又は複数の字幕有映像ファイル及字幕無映像ファイルを用いて、第２の実施形態と異なる特徴的な方法でコンテンツを再生する。処理装置１０の構成は、第１の実施形態と同様である。以下、端末装置２０の構成を詳細に説明する。
【００７０】
図８に、端末装置２０の機能ブロック図の一例を示す。図示するように、端末装置２０は、送信部２１と、受信部２２と、再生部２３と、受付部２４とを有する。送信部２１及び受信部２２の機能構成は、第１の実施形態と同様である。再生部２３は、第１の実施形態で説明した機能に加えて、以下で説明する機能を有する。
【００７１】
再生部２３は、時間同期して１つ又は複数の字幕有映像及び字幕無映像を同時に再生し、１つ又は複数の字幕有映像及び字幕無映像を並べて画面表示する。受付部２４は、再生制御入力を受付ける。再生部２３は、再生制御入力に応じて、１つ又は複数の字幕有映像及び字幕無映像のすべてを同様に（同じ内容で）制御する。再生制御の内容は、一時停止、停止、早送り、巻き戻し、スキップ（所定位置まで再生位置を移動）、スピード再生（通常より早い再生）等が例示されるが、これらに限定されない。
【００７２】
図１１に、本実施形態の方法でコンテンツ再生中にディスプレイに表示される画面の一例を模式的に示す。図示する例では、３つの字幕有映像と、１つの字幕無映像とが同時に画面表示されている。これらは時間同期して再生されている。すなわち、コンテンツの冒頭からの経過時間はすべて一致している。なお、１つ又は複数の字幕有映像及び字幕無映像は、内容やコンテンツ長が一致している。このため、時間同期して再生されている１つ又は複数の字幕有映像及び字幕無映像の表示されているシーンは一致している。
【００７３】
図示する例では、画面中に、再生制御のためのボタンが表示されている。かかる例では、当該ボタンに対する操作（クリック、タッチ等）により、再生制御入力が受付けられる。なお、その他の入力操作により、再生制御入力が受付けられてもよい。
【００７４】
例えば、一時停止の入力がなされると、再生部２３は、１つ又は複数の字幕有映像及び字幕無映像のすべてを一時停止する。また、再生の入力がなされると、再生部２３は、１つ又は複数の字幕有映像及び字幕無映像のすべてを再生する。また、早送りの入力がなされると、再生部２３は、１つ又は複数の字幕有映像及び字幕無映像のすべてを早送りする。また、巻き戻しの入力がなされると、再生部２３は、１つ又は複数の字幕有映像及び字幕無映像のすべてを巻き戻しする。また、停止の入力がなされると、再生部２３は、１つ又は複数の字幕有映像及び字幕無映像のすべてを停止（再生停止、早送り停止、巻き戻し停止等）する。
【００７５】
以上説明した本実施形態のコンテンツ確認システムによれば、第１の実施形態と同様な作用効果を実現できる。また、本実施形態の端末装置２０によれば、１つ又は複数の字幕有映像及び字幕無映像を同時に時間同期して再生することができる。このため、これらの映像を互いに比較しながら確認することができる。
【００７６】
また、本実施形態の端末装置２０によれば、再生制御入力により、１つ又は複数の字幕有映像及び字幕無映像のすべてを同様に制御することができる。このため、複数の映像が互いにずれることを回避できる。また、一の操作で複数の映像を同時に再生制御できるので、ユーザの操作負担を軽減できる。
【００７７】
＜第４の実施形態＞
本実施形態のコンテンツ確認システムでは、端末装置２０が、１つ又は複数の字幕有映像ファイル及字幕無映像ファイルを用いて、第２及び第３の実施形態と異なる特徴的な方法でコンテンツを再生する。処理装置１０の構成は、第１の実施形態と同様である。以下、端末装置２０の構成を詳細に説明する。
【００７８】
図８に、端末装置２０の機能ブロック図の一例を示す。図示するように、端末装置２０は、送信部２１と、受信部２２と、再生部２３と、受付部２４とを有する。送信部２１及び受信部２２の機能構成は、第１の実施形態と同様である。再生部２３は、第１の実施形態で説明した機能に加えて、以下で説明する機能を有する。
【００７９】
再生部２３は、時間同期して１つ又は複数の字幕有映像及び字幕無映像を同時に再生する。なお、再生部２３は、１つ又は複数の字幕有映像及び字幕無映像を透過処理し、重畳して（互いに重ね合せて）画面表示する。
【００８０】
図１２に、本実施形態の方法でコンテンツ再生中にディスプレイに表示される画面の一例を模式的に示す。図は、ＨＤ用の字幕有映像と携帯用の字幕有映像とを重畳して画面表示した例である。なお、重畳した２つの映像は時間同期して再生されているので、第３の実施形態で説明したものと同様の理由で、２つの映像の表示されているシーンは一致している。
【００８１】
以上説明した本実施形態のコンテンツ確認システムによれば、第１の実施形態と同様な作用効果を実現できる。また、本実施形態の端末装置２０によれば、１つまたは複数の字幕有映像及び字幕無映像を重畳して再生することができる。重畳することで文字が一部重なり合い、文字の認識が困難になり得るが、複数の映像の字幕表示タイミングが一致しているか否か等を効率的に確認することができる。
【００８２】
＜第５の実施形態＞
本実施形態のコンテンツ確認システムでは、端末装置２０が、１つ又は複数の字幕有映像ファイル及字幕無映像ファイルを用いて、第２乃至第４の実施形態と異なる特徴的な方法でコンテンツを再生する。処理装置１０の構成は、第１の実施形態と同様である。以下、端末装置２０の構成を詳細に説明する。
【００８３】
図８に、端末装置２０の機能ブロック図の一例を示す。図示するように、端末装置２０は、送信部２１と、受信部２２と、再生部２３と、受付部２４とを有する。送信部２１及び受信部２２の機能構成は、第１の実施形態と同様である。再生部２３は、第１の実施形態で説明した機能に加えて、以下で説明する機能を有する。
【００８４】
再生部２３は、時間同期して１つ又は複数の字幕有映像及び字幕無映像を同時に再生する。なお、再生部２３は、１つ又は複数の字幕有映像及び字幕無映像各々の一部分の映像を並べて画面表示する。
【００８５】
図１３に、本実施形態の方法でコンテンツ再生中にディスプレイに表示される画面の一例を模式的に示す。図は、ＨＤ用の字幕有映像と携帯用の字幕有映像各々の一部分の映像を並べて画面表示する例である。境界線Ｂより左側の部分がＨＤ用の字幕有映像であり、境界線Ｂより右側の部分が携帯用の字幕有映像である。この例の場合、１つ又は複数の字幕有映像及び字幕無映像各々の一部分の映像を繋ぎ合わせることで、１フレーム分の１つの映像が生成されている。なお、並べて表示される複数の映像は時間同期して再生されているので、第３の実施形態で説明したものと同様の理由で、複数の映像の表示されているシーンは一致している。
【００８６】
本実施形態の変形例として、受付部２４は、一部分の映像の大きさを変更する変更入力を受付けてもよい。そして、再生部２３は、変更入力に応じて、１つ又は複数の字幕有映像及び字幕無映像各々の画面表示される一部分の映像の大きさを変更してもよい。例えば、受付部２４は、図１３の境界線Ｂの位置を左右に移動させる変更入力を受付けてもよい。そして、再生部２３は、当該変更入力に応じて、境界線Ｂの位置を移動させてもよい。境界線Ｂを図の左側に移動させると、ＨＤ用の字幕有映像が小さくなり、携帯用の字幕有映像が大きくなる。逆に、境界線Ｂを図の右側に移動させると、ＨＤ用の字幕有映像が大きくなり、携帯用の字幕有映像が小さくなる。
【００８７】
以上説明した本実施形態のコンテンツ確認システムによれば、第１の実施形態と同様な作用効果を実現できる。また、本実施形態の端末装置２０によれば、１つまたは複数の字幕有映像及び字幕無映像各々の一部分の映像を並べて画面表示することができる。一部分の映像とした場合、字幕の内容を完全に把握するのが困難になり得るが、複数の映像の字幕表示タイミングが一致しているか否か等を効率的に確認することができる。
【００８８】
＜第６の実施形態＞
本実施形態のコンテンツ確認システムでは、端末装置２０が、１つ又は複数の字幕有映像ファイル及字幕無映像ファイルを用いて、第２乃至第５の実施形態と異なる特徴的な方法でコンテンツを再生する。処理装置１０の構成は、第１の実施形態と同様である。以下、端末装置２０の構成を詳細に説明する。
【００８９】
図８に、端末装置２０の機能ブロック図の一例を示す。図示するように、端末装置２０は、送信部２１と、受信部２２と、再生部２３と、受付部２４とを有する。なお、端末装置２０は、受付部２４を有さなくてもよい。
【００９０】
送信部２１及び受信部２２の機能構成は、第１の実施形態と同様である。再生部２３は、第１の実施形態で説明した機能に加えて、以下で説明する機能を有する。なお、再生部２３は、第２乃至第５の実施形態で説明した機能を有してもよい。
【００９１】
再生部２３は、字幕有映像ファイルを処理して字幕有映像を再生する場合、字幕有時間帯よりも字幕無時間帯の再生スピードを速くしてもよい。例えば、字幕有時間帯を通常のスピードで再生し、字幕無時間帯をＭ倍速のスピードで再生してもよい（Ｍ＞１）。その他、再生部２３は、字幕無時間帯をスキップ又は早送りしてもよい。図１４に、当該再生の制御の例を示す。
【００９２】
上記再生制御の変形例として、再生部２３は、字幕有時間帯、及び、字幕有時間帯の前後の所定時間Ｔである付加時間帯よりも、他の時間帯の再生スピードを速くしてもよい。その他、再生部２３は、字幕有時間帯、及び、字幕有時間帯の前後の所定時間Ｔである付加時間帯の両方を除く時間帯を、スキップ又は早送りしてもよい。図１５に、当該再生の制御の例を示す。
【００９３】
なお、字幕有時間帯の特定は、ＣＣ付きＴＶ用コンテンツファイルに含まれる字幕データに基づき実現されてもよいし、その他の手段で実現されてもよい。
【００９４】
以上説明した本実施形態のコンテンツ確認システムによれば、第１乃至第５の実施形態と同様な作用効果を実現できる。また、本実施形態の端末装置２０によれば、字幕有時間帯を字幕無時間帯よりも優先的に視聴することが可能となる。結果、字幕部分の確認作業を効率的に行うことが可能となる。
【００９５】
＜第７の実施形態＞
本実施形態のコンテンツ確認システムでは、端末装置２０が、１つ又は複数の字幕有映像ファイル及字幕無映像ファイルを用いて、第２乃至第６の実施形態と異なる特徴的な方法でコンテンツを再生する。処理装置１０の構成は、第１の実施形態と同様である。以下、端末装置２０の構成を詳細に説明する。
【００９６】
図８に、端末装置２０の機能ブロック図の一例を示す。図示するように、端末装置２０は、送信部２１と、受信部２２と、再生部２３と、受付部２４とを有する。なお、端末装置２０は、受付部２４を有さなくてもよい。
【００９７】
送信部２１及び受信部２２の機能構成は、第１の実施形態と同様である。再生部２３は、第１の実施形態で説明した機能に加えて、以下で説明する機能を有する。なお、再生部２３は、第２乃至第６の実施形態で説明した機能を有してもよい。
【００９８】
再生部２３は、人の声が存在する時間帯よりも人の声が存在しない時間帯の再生スピードを速くしてもよい。例えば、人の声が存在する時間帯を通常のスピードで再生し、人の声が存在しない時間帯をＭ倍速のスピードで再生してもよい（Ｍ＞１）。その他、再生部２３は、人の声が存在しない時間帯をスキップ又は早送りしてもよい。
【００９９】
人の声が存在する時間帯の特定は、音声ファイルの解析により実現できる。人の声と他の音との識別は、周波数解析等が例示されるが、特段制限されない。また、人の声のみを記録した音声トラックと、他の音を記録した音声トラックとが別になっている場合には、音声トラックを解析して音の存在する時間帯を特定することで、人の声が存在する時間帯を特定することができる。
【０１００】
以上説明した本実施形態のコンテンツ確認システムによれば、第１乃至第６の実施形態と同様な作用効果を実現できる。また、本実施形態の端末装置２０によれば、人の声が存在する時間帯を他の時間帯よりも優先的に視聴することが可能となる。人の声が存在する時間帯は、字幕が存在する可能性が高い。人の声が存在する時間帯を他の時間帯よりも優先的に視聴することで、字幕が存在する可能性が高い時間帯を他の時間帯よりも優先的に視聴することができる。結果、字幕部分の確認作業を効率的に行うことが可能となる。
【０１０１】
＜第８の実施形態＞
本実施形態の再生装置は、１つ又は複数の字幕有映像ファイル及字幕無映像ファイルを用いて、第１乃至第７の実施形態の端末装置２０と同様な方法でコンテンツを再生することができる。なお、端末装置２０はコンテンツ提供サーバから１つ又は複数の字幕有映像ファイル及字幕無映像ファイルをインターネット経由で受信したが、再生装置はこれに限定されず、任意の手段で１つ又は複数の字幕有映像ファイル及字幕無映像ファイルを取得することができる。例えば、再生装置は、可搬型記憶媒体（例：ＤＶＤ、ＣＤ、ＵＳＢメモリ、ビデオテープ等）に記憶された１つ又は複数の字幕有映像ファイル及字幕無映像ファイルを取得してもよいし、端末装置２０と同様の手段で取得してもよいし、その他の手段で取得してもよい。
【０１０２】
まず、再生装置のハードウエア構成の一例について説明する。本実施形態の再生装置が備える各機能は、任意のコンピュータのＣＰＵ、メモリ、メモリにロードされるプログラム、そのプログラムを格納するハードディスク等の記憶ユニット（あらかじめ装置を出荷する段階から格納されているプログラムのほか、ＣＤ等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【０１０３】
図１は、本実施形態の再生装置のハードウエア構成を例示するブロック図である。図１に示すように、再生装置は、プロセッサ１Ａ、メモリ２Ａ、入出力インターフェイス３Ａ、周辺回路４Ａ、バス５Ａを有する。周辺回路４Ａには、様々なモジュールが含まれる。電話システム１は周辺回路４Ａを有さなくてもよい。
【０１０４】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵやＧＰＵなどの演算処理装置である。メモリ２Ａは、例えばＲＡＭやＲＯＭなどのメモリである。入出力インターフェイス３Ａは、入力装置（例：キーボード、マウス、マイク等）、外部装置、外部サーバ、外部センサー等から情報を取得するためのインターフェイスや、出力装置（例：ディスプレイ、スピーカ、プリンター、メーラ等）、外部装置、外部サーバ等に情報を出力するためのインターフェイスなどを含む。プロセッサ１Ａは、各モジュールに指令を出し、それらの演算結果をもとに演算を行うことができる。
【０１０５】
次に、再生装置の機能構成を説明する。図１６に、再生装置３０の機能ブロック図の一例を示す。図示するように、再生装置３０は、再生部３１と、受付部３２とを有する。再生部２３の機能構成は、第１乃至第７の実施形態で説明した端末装置２０の再生部２３の機能構成と同様である。受付部３２の機能構成は、第１乃至第７の実施形態で説明した端末装置２０の受付部２４の機能構成と同様である。
【０１０６】
以上説明した本実施形態の再生装置３０によれば、第１乃至第７の実施形態と同様な作用効果を実現できる。
【０１０７】
ここで、すべての実施形態に適用可能な変形例を説明する。端末装置２０及び再生装置３０は、字幕有映像及び字幕無映像にコメントを記録する機能を有してもよい。例えば、映像を一時停止した状態でコメント登録操作を行うと、その時点で表示されているフレームに対応付けてコメントが登録されてもよい。コメントは音声やテキストで入力することができる。
【０１０８】
また、端末装置２０及び再生装置３０は、コメントが登録されている箇所を通知する機能を備えてもよい。例えば、字幕有映像及び字幕無映像を再生時に、コメントが登録されているフレームの画面表示タイミングがくると、そのフレームに対応付けて登録されているコメントが画面表示されてもよい。また、端末装置２０及び再生装置３０は、コメント登録箇所（コメント登録フレーム）までスキップし、そこから再生を開始する機能を備えてもよい。当該変形例によれば、クローズドキャプションを有するコンテンツの放送前の確認作業の効率をより向上させることができる。
【０１０９】
以下、参考形態の例を付記する。
１．  映像に字幕が重畳されていない映像ファイル及び字幕データを有するテレビ放送用のコンテンツファイルから、映像に字幕が重畳されている１つ又は複数の字幕有映像ファイル、及び、映像に字幕が重畳されていない字幕無映像ファイルのうち、少なくともいずれかを生成する生成手段を有する処理装置。
２．  １に記載の処理装置において、
前記生成手段は、解像度及びアスペクト比の少なくとも一方が互いに異なる複数の映像各々に対応した複数の前記字幕有映像ファイルを生成する処理装置。
３．  映像に字幕が重畳されていない映像ファイル及び字幕データを有するテレビ放送用のコンテンツファイルから生成された映像に字幕が重畳されている１つ又は複数の字幕有映像ファイル、及び、映像に字幕が重畳されていない字幕無映像ファイルを記憶する外部装置に、コンテンツ要求を送信する送信手段と、
コンテンツを指定した前記コンテンツ要求に応じて前記外部装置から送信された１つ又は複数の字幕有映像ファイル及び字幕無映像ファイルを受信する受信手段と、
１つ又は複数の前記字幕有映像ファイル及び前記字幕無映像ファイルを用いて、指定された前記コンテンツを再生する再生手段と、
を有する端末装置。
４．  ３に記載の端末装置において、
前記再生手段は、１つ又は複数の字幕有映像及び字幕無映像を１つずつ再生し、
画面表示する映像を切り替える切替入力を受付ける受付手段をさらに有し、
前記再生手段は、前記切替入力に応じて、１つ又は複数の字幕有映像及び字幕無映像の間で再生する映像を切り替える端末装置。
５．  ４に記載の端末装置において、
前記再生手段は、前記切替入力に応じて第１の映像の再生から第２の映像の再生に切り替える場合、前記第１の映像の再生停止位置から前記第２の映像の再生を開始し、
前記第１の映像は１つ又は複数の前記字幕有映像及び前記字幕無映像の中の１つであり、前記第２の映像は１つ又は複数の前記字幕有映像及び前記字幕無映像の中の前記第１の映像と異なる映像である端末装置。
６．  ３に記載の端末装置において、
前記再生手段は、時間同期して１つ又は複数の前記字幕有映像及び前記字幕無映像を同時に再生し、１つ又は複数の前記字幕有映像及び前記字幕無映像を並べて画面表示する端末装置。
７．  ６に記載の端末装置において、
再生制御入力を受付ける受付手段をさらに有し、
前記再生手段は、１つ又は複数の前記字幕有映像及び前記字幕無映像のすべてを、前記再生制御入力に応じて、同様に制御する端末装置。
８．  ３に記載の端末装置において、
前記再生手段は、時間同期して１つ又は複数の前記字幕有映像及び前記字幕無映像を同時に再生し、１つ又は複数の前記字幕有映像及び前記字幕無映像を重畳して画面表示する端末装置。
９．  ３に記載の端末装置において、
前記再生手段は、時間同期して１つ又は複数の前記字幕有映像及び前記字幕無映像を同時に再生し、１つ又は複数の前記字幕有映像及び前記字幕無映像各々の一部分の映像を並べて画面表示する端末装置。
１０．  ９に記載の端末装置において、
前記一部分の映像の大きさを変更する変更入力を受付ける受付手段をさらに有し、
前記再生手段は、前記変更入力に応じて、１つ又は複数の前記字幕有映像及び前記字幕無映像各々の画面表示される一部分の映像の大きさを変更する端末装置。
１１．  ３から１０のいずれかに記載の端末装置において、
前記再生手段は、字幕有時間帯よりも字幕無時間帯の再生スピードを速くする端末装置。
１２．  ３から１０のいずれかに記載の端末装置において、
前記再生手段は、字幕有時間帯、及び、字幕有時間帯の前後所定時間分の付加時間帯よりも、他の時間帯の再生スピードを速くする端末装置。
１３．  ３から１０のいずれかに記載の端末装置において、
前記再生手段は、字幕無時間帯をスキップ又は早送りする端末装置。
１４．  ３から１０のいずれかに記載の端末装置において、
前記再生手段は、字幕有時間帯、及び、字幕有時間帯の前後所定時間分の付加時間帯の両方を除く時間帯を、スキップ又は早送りする端末装置。
１５．  ３から１０のいずれかに記載の端末装置において、
前記再生手段は、人の声が存在する時間帯よりも人の声が存在しない時間帯の再生スピードを速くする端末装置。
１６．  ３から１０のいずれかに記載の端末装置において、
前記再生手段は、人の声が存在しない時間帯をスキップ又は早送りする端末装置。
１７．  再生制御入力を受付ける受付手段と、
時間同期して１つ又は複数の字幕有映像及び字幕無映像を同時に再生し、１つ又は複数の前記字幕有映像及び前記字幕無映像を並べて画面表示し、１つ又は複数の前記字幕有映像及び前記字幕無映像のすべてを前記再生制御入力に応じて同様に制御する再生手段と、
を有する再生装置。
１８．  コンピュータが、
映像に字幕が重畳されていない映像ファイル及び字幕データを有するテレビ放送用のコンテンツファイルから、映像に字幕が重畳されている１つ又は複数の字幕有映像ファイル、及び、映像に字幕が重畳されていない字幕無映像ファイルのうち、少なくともいずれかを生成する生成工程を実行する処理方法。
１９．  コンピュータを、
映像に字幕が重畳されていない映像ファイル及び字幕データを有するテレビ放送用のコンテンツファイルから、映像に字幕が重畳されている１つ又は複数の字幕有映像ファイル、及び、映像に字幕が重畳されていない字幕無映像ファイルののうち、少なくともいずれかを生成する生成手段として機能させるプログラム。
２０．  コンピュータが、
映像に字幕が重畳されていない映像ファイル及び字幕データを有するテレビ放送用のコンテンツファイルから生成された映像に字幕が重畳されている１つ又は複数の字幕有映像ファイル、及び、映像に字幕が重畳されていない字幕無映像ファイルを記憶する外部装置に、コンテンツ要求を送信する送信工程と、
コンテンツを指定した前記コンテンツ要求に応じて前記外部装置から送信されたた１つ又は複数の字幕有映像ファイル及び字幕無映像ファイルを受信する受信工程と、
１つ又は複数の前記字幕有映像ファイル及び前記字幕無映像ファイルを用いて、指定された前記コンテンツを再生する再生工程と、
を実行する処理方法。
２１．  コンピュータを、
映像に字幕が重畳されていない映像ファイル及び字幕データを有するテレビ放送用のコンテンツファイルから生成された映像に字幕が重畳されている１つ又は複数の字幕有映像ファイル、及び、映像に字幕が重畳されていない字幕無映像ファイルを記憶する外部装置に、コンテンツ要求を送信する送信手段、
コンテンツを指定した前記コンテンツ要求に応じて前記外部装置から送信されたた１つ又は複数の字幕有映像ファイル及び字幕無映像ファイルを受信する受信手段、
１つ又は複数の前記字幕有映像ファイル及び前記字幕無映像ファイルを用いて、指定された前記コンテンツを再生する再生手段、
として機能させるプログラム。
２２．  コンピュータが、
再生制御入力を受付ける受付工程と、
時間同期して１つ又は複数の字幕有映像及び字幕無映像を同時に再生し、１つ又は複数の前記字幕有映像及び前記字幕無映像を並べて画面表示し、１つ又は複数の前記字幕有映像及び前記字幕無映像のすべてを前記再生制御入力に応じて同様に制御する再生工程と、
を実行する再生方法。
２３．  コンピュータを、
再生制御入力を受付ける受付手段、
時間同期して１つ又は複数の字幕有映像及び字幕無映像を同時に再生し、１つ又は複数の前記字幕有映像及び前記字幕無映像を並べて画面表示し、１つ又は複数の前記字幕有映像及び前記字幕無映像のすべてを前記再生制御入力に応じて同様に制御する再生手段、
として機能させるプログラム。
【符号の説明】
【０１１０】
１Ａ    プロセッサ
２Ａ    メモリ
３Ａ    入出力Ｉ／Ｆ
４Ａ    周辺回路
５Ａ    バス
１０    処理装置
１１    生成部
２０    端末装置
２１    送信部
２２    受信部
２３    再生部
２４    受付部
３０    再生装置
３１    再生部
３２    受付部
【図１】
2019122011.tif 000003
【図２】
2019122011.tif 000004
【図３】
2019122011.tif 000005
【図４】
2019122011.tif 000006
【図５】
2019122011.tif 000007
【図６】
2019122011.tif 000008
【図７】
2019122011.tif 000009
【図８】
2019122011.tif 000010
【図９】
2019122011.tif 000011
【図１０】
2019122011.tif 000012
【図１１】
2019122011.tif 000013
【図１２】
2019122011.tif 000014
【図１３】
2019122011.tif 000015
【図１４】
2019122011.tif 000016
【図１５】
2019122011.tif 000017
【図１６】
2019122011.tif 000018
【図１７】
2019122011.tif 000019
【手続補正書】
【提出日】平成30年6月20日(2018.6.20)
【手続補正１】
【補正対象書類名】特許請求の範囲
【補正対象項目名】全文
【補正方法】変更
【補正の内容】
【特許請求の範囲】
【請求項１】
映像に字幕が重畳されていない映像ファイルと字幕データとを含むテレビ放送用のコンテンツファイルから、映像に字幕が重畳されている１つ又は複数の字幕有映像ファイルと、映像に字幕が重畳されていない字幕無映像ファイルとを生成する生成手段を有する処理装置。
【請求項２】
請求項１に記載の処理装置において、
前記生成手段は、解像度及びアスペクト比の少なくとも一方が互いに異なる複数の映像各々に対応した複数の前記字幕有映像ファイルを生成する処理装置。
【請求項３】
コンピュータが、
映像に字幕が重畳されていない映像ファイルと字幕データとを含むテレビ放送用のコンテンツファイルから、映像に字幕が重畳されている１つ又は複数の字幕有映像ファイルと、映像に字幕が重畳されていない字幕無映像ファイルとを生成する生成工程を実行する処理方法。
【請求項４】
コンピュータを、
映像に字幕が重畳されていない映像ファイルと字幕データとを含むテレビ放送用のコンテンツファイルから、映像に字幕が重畳されている１つ又は複数の字幕有映像ファイルと、映像に字幕が重畳されていない字幕無映像ファイルとを生成する生成手段として機能させるプログラム。
【請求項５】
コンピュータを、
映像に字幕が重畳されていない映像ファイルと字幕データとを含むテレビ放送用のコンテンツファイルから生成された映像に字幕が重畳されている１つ又は複数の字幕有映像ファイルと、映像に字幕が重畳されていない字幕無映像ファイルとを記憶する外部装置に、コンテンツ要求を送信する送信手段、
コンテンツを指定した前記コンテンツ要求に応じて前記外部装置から送信された１つ又は複数の字幕有映像ファイルと字幕無映像ファイルとを受信する受信手段、
１つ又は複数の前記字幕有映像ファイルと前記字幕無映像ファイルとを用いて、指定された前記コンテンツの映像を再生し、１つ又は複数の字幕有映像及び字幕無映像を１つずつ再生する再生手段、
画面表示する映像を切り替える切替入力を受付ける受付手段、
として機能させ、
前記再生手段は、前記切替入力に応じて、１つ又は複数の字幕有映像及び字幕無映像の間で再生する映像を切り替えるプログラム。
【請求項６】
請求項５に記載のプログラムにおいて、
前記再生手段は、前記切替入力に応じて第１の映像の再生から第２の映像の再生に切り替える場合、前記第１の映像の再生停止位置から前記第２の映像の再生を開始し、
前記第１の映像は１つ又は複数の前記字幕有映像及び前記字幕無映像の中の１つであり、前記第２の映像は１つ又は複数の前記字幕有映像及び前記字幕無映像の中の前記第１の映像と異なる映像であるプログラム。
【請求項７】
コンピュータを、
映像に字幕が重畳されていない映像ファイルと字幕データとを含むテレビ放送用のコンテンツファイルから生成された映像に字幕が重畳されている１つ又は複数の字幕有映像ファイルと、映像に字幕が重畳されていない字幕無映像ファイルとを記憶する外部装置に、コンテンツ要求を送信する送信手段、
コンテンツを指定した前記コンテンツ要求に応じて前記外部装置から送信された１つ又は複数の字幕有映像ファイルと字幕無映像ファイルとを受信する受信手段、
１つ又は複数の前記字幕有映像ファイルと前記字幕無映像ファイルとを用いて、指定された前記コンテンツの映像を再生する再生手段、
として機能させ、
前記再生手段は、時間同期して１つ又は複数の前記字幕有映像と前記字幕無映像とを同時に再生し、１つ又は複数の前記字幕有映像と前記字幕無映像とを並べて画面表示するプログラム。
【請求項８】
請求項７に記載のプログラムにおいて、
前記コンピュータを、再生制御入力を受付ける受付手段としてさらに機能させ、
前記再生手段は、１つ又は複数の前記字幕有映像と前記字幕無映像とのすべてを、前記再生制御入力に応じて、同様に制御するプログラム。
【請求項９】
コンピュータを、
映像に字幕が重畳されていない映像ファイルと字幕データとを含むテレビ放送用のコンテンツファイルから生成された映像に字幕が重畳されている１つ又は複数の字幕有映像ファイルと、映像に字幕が重畳されていない字幕無映像ファイルとを記憶する外部装置に、コンテンツ要求を送信する送信手段、
コンテンツを指定した前記コンテンツ要求に応じて前記外部装置から送信された１つ又は複数の字幕有映像ファイルと字幕無映像ファイルとを受信する受信手段、
１つ又は複数の前記字幕有映像ファイルと前記字幕無映像ファイルとを用いて、指定された前記コンテンツの映像を再生する再生手段、
として機能させ、
前記再生手段は、時間同期して１つ又は複数の前記字幕有映像と前記字幕無映像とを同時に再生し、１つ又は複数の前記字幕有映像及び前記字幕無映像を重畳して画面表示するプログラム。
【請求項１０】
コンピュータを、
映像に字幕が重畳されていない映像ファイルと字幕データとを含むテレビ放送用のコンテンツファイルから生成された映像に字幕が重畳されている１つ又は複数の字幕有映像ファイルと、映像に字幕が重畳されていない字幕無映像ファイルとを記憶する外部装置に、コンテンツ要求を送信する送信手段、
コンテンツを指定した前記コンテンツ要求に応じて前記外部装置から送信された１つ又は複数の字幕有映像ファイルと字幕無映像ファイルとを受信する受信手段、
１つ又は複数の前記字幕有映像ファイルと前記字幕無映像ファイルとを用いて、指定された前記コンテンツの映像を再生する再生手段、
として機能させ、
前記再生手段は、時間同期して１つ又は複数の前記字幕有映像と前記字幕無映像とを同時に再生し、１つ又は複数の前記字幕有映像及び前記字幕無映像各々の一部分の映像を並べて画面表示するプログラム。
【請求項１１】
請求項１０に記載のプログラムにおいて、
前記コンピュータを、前記一部分の映像の大きさを変更する変更入力を受付ける受付手段としてさらに機能させ、
前記再生手段は、前記変更入力に応じて、１つ又は複数の前記字幕有映像及び前記字幕無映像各々の画面表示される一部分の映像の大きさを変更するプログラム。
【請求項１２】
コンピュータを、
映像に字幕が重畳されていない映像ファイルと字幕データとを含むテレビ放送用のコンテンツファイルから生成された映像に字幕が重畳されている１つ又は複数の字幕有映像ファイルと、映像に字幕が重畳されていない字幕無映像ファイルとを記憶する外部装置に、コンテンツ要求を送信する送信手段、
コンテンツを指定した前記コンテンツ要求に応じて前記外部装置から送信された１つ又は複数の字幕有映像ファイルと字幕無映像ファイルとを受信する受信手段、
１つ又は複数の前記字幕有映像ファイルと前記字幕無映像ファイルとを用いて、指定された前記コンテンツの映像を再生する再生手段、
として機能させ、
前記再生手段は、字幕有時間帯よりも字幕無時間帯の再生スピードを速くするプログラム。
【請求項１３】
コンピュータを、
映像に字幕が重畳されていない映像ファイルと字幕データとを含むテレビ放送用のコンテンツファイルから生成された映像に字幕が重畳されている１つ又は複数の字幕有映像ファイルと、映像に字幕が重畳されていない字幕無映像ファイルとを記憶する外部装置に、コンテンツ要求を送信する送信手段、
コンテンツを指定した前記コンテンツ要求に応じて前記外部装置から送信された１つ又は複数の字幕有映像ファイルと字幕無映像ファイルとを受信する受信手段、
１つ又は複数の前記字幕有映像ファイルと前記字幕無映像ファイルとを用いて、指定された前記コンテンツの映像を再生する再生手段、
として機能させ、
前記再生手段は、字幕有時間帯、及び、字幕有時間帯の前後所定時間分の付加時間帯よりも、他の時間帯の再生スピードを速くするプログラム。
【請求項１４】
コンピュータを、
映像に字幕が重畳されていない映像ファイルと字幕データとを含むテレビ放送用のコンテンツファイルから生成された映像に字幕が重畳されている１つ又は複数の字幕有映像ファイルと、映像に字幕が重畳されていない字幕無映像ファイルとを記憶する外部装置に、コンテンツ要求を送信する送信手段、
コンテンツを指定した前記コンテンツ要求に応じて前記外部装置から送信された１つ又は複数の字幕有映像ファイルと字幕無映像ファイルとを受信する受信手段、
１つ又は複数の前記字幕有映像ファイルと前記字幕無映像ファイルとを用いて、指定された前記コンテンツの映像を再生する再生手段、
として機能させ、
前記再生手段は、字幕無時間帯をスキップ又は早送りするプログラム。
【請求項１５】
コンピュータを、
映像に字幕が重畳されていない映像ファイルと字幕データとを含むテレビ放送用のコンテンツファイルから生成された映像に字幕が重畳されている１つ又は複数の字幕有映像ファイルと、映像に字幕が重畳されていない字幕無映像ファイルとを記憶する外部装置に、コンテンツ要求を送信する送信手段、
コンテンツを指定した前記コンテンツ要求に応じて前記外部装置から送信された１つ又は複数の字幕有映像ファイルと字幕無映像ファイルとを受信する受信手段、
１つ又は複数の前記字幕有映像ファイルと前記字幕無映像ファイルとを用いて、指定された前記コンテンツの映像を再生する再生手段、
として機能させ、
前記再生手段は、字幕有時間帯、及び、字幕有時間帯の前後所定時間分の付加時間帯の両方を除く時間帯を、スキップ又は早送りするプログラム。
【請求項１６】
コンピュータを、
映像に字幕が重畳されていない映像ファイルと字幕データとを含むテレビ放送用のコンテンツファイルから生成された映像に字幕が重畳されている１つ又は複数の字幕有映像ファイルと、映像に字幕が重畳されていない字幕無映像ファイルとを記憶する外部装置に、コンテンツ要求を送信する送信手段、
コンテンツを指定した前記コンテンツ要求に応じて前記外部装置から送信された１つ又は複数の字幕有映像ファイルと字幕無映像ファイルとを受信する受信手段、
１つ又は複数の前記字幕有映像ファイルと前記字幕無映像ファイルとを用いて、指定された前記コンテンツの映像を再生する再生手段、
として機能させ、
前記再生手段は、人の声が存在する時間帯よりも人の声が存在しない時間帯の再生スピードを速くするプログラム。
【請求項１７】
コンピュータを、
映像に字幕が重畳されていない映像ファイルと字幕データとを含むテレビ放送用のコンテンツファイルから生成された映像に字幕が重畳されている１つ又は複数の字幕有映像ファイルと、映像に字幕が重畳されていない字幕無映像ファイルとを記憶する外部装置に、コンテンツ要求を送信する送信手段、
コンテンツを指定した前記コンテンツ要求に応じて前記外部装置から送信された１つ又は複数の字幕有映像ファイルと字幕無映像ファイルとを受信する受信手段、
１つ又は複数の前記字幕有映像ファイルと前記字幕無映像ファイルとを用いて、指定された前記コンテンツの映像を再生する再生手段、
として機能させ、
前記再生手段は、人の声が存在しない時間帯をスキップ又は早送りするプログラム。
【請求項１８】
再生制御入力を受付ける受付手段と、
時間同期して１つ又は複数の字幕有映像及び字幕無映像を同時に再生し、１つ又は複数の前記字幕有映像及び前記字幕無映像を並べて画面表示し、１つ又は複数の前記字幕有映像と前記字幕無映像とのすべてを前記再生制御入力に応じて同様に制御する再生手段と、
を有する再生装置。
【請求項１９】
コンピュータが、
再生制御入力を受付ける受付工程と、
時間同期して１つ又は複数の字幕有映像及び字幕無映像を同時に再生し、１つ又は複数の前記字幕有映像及び前記字幕無映像を並べて画面表示し、１つ又は複数の前記字幕有映像と前記字幕無映像とのすべてを前記再生制御入力に応じて同様に制御する再生工程と、
を実行する再生方法。
【請求項２０】
コンピュータを、
再生制御入力を受付ける受付手段、
時間同期して１つ又は複数の字幕有映像及び字幕無映像を同時に再生し、１つ又は複数の前記字幕有映像及び前記字幕無映像を並べて画面表示し、１つ又は複数の前記字幕有映像と前記字幕無映像とのすべてを前記再生制御入力に応じて同様に制御する再生手段、
として機能させるプログラム。
【手続補正２】
【補正対象書類名】明細書
【補正対象項目名】０００６
【補正方法】変更
【補正の内容】
【０００６】
本発明によれば、
映像に字幕が重畳されていない映像ファイルと字幕データとを含むテレビ放送用のコンテンツファイルから、映像に字幕が重畳されている１つ又は複数の字幕有映像ファイルと、映像に字幕が重畳されていない字幕無映像ファイルとを生成する生成手段を有する処理装置が提供される。
【手続補正３】
【補正対象書類名】明細書
【補正対象項目名】０００７
【補正方法】変更
【補正の内容】
【０００７】
また、本発明によれば、
映像に字幕が重畳されていない映像ファイルと字幕データとを含むテレビ放送用のコンテンツファイルから生成された映像に字幕が重畳されている１つ又は複数の字幕有映像ファイルと、映像に字幕が重畳されていない字幕無映像ファイルとを記憶する外部装置に、コンテンツ要求を送信する送信手段と、
コンテンツを指定した前記コンテンツ要求に応じて前記外部装置から送信された１つ又は複数の字幕有映像ファイルと字幕無映像ファイルとを受信する受信手段と、
１つ又は複数の前記字幕有映像ファイルと前記字幕無映像ファイルとを用いて、指定された前記コンテンツの映像を再生し、１つ又は複数の字幕有映像及び字幕無映像を１つずつ再生する再生手段と、
画面表示する映像を切り替える切替入力を受付ける受付手段と
を有し、
前記再生手段は、前記切替入力に応じて、１つ又は複数の字幕有映像及び字幕無映像の間で再生する映像を切り替える端末装置が提供される。
【手続補正４】
【補正対象書類名】明細書
【補正対象項目名】０００８
【補正方法】変更
【補正の内容】
【０００８】
また、本発明によれば、
再生制御入力を受付ける受付手段と、
時間同期して１つ又は複数の字幕有映像及び字幕無映像を同時に再生し、１つ又は複数の前記字幕有映像及び前記字幕無映像を並べて画面表示し、１つ又は複数の前記字幕有映像と前記字幕無映像とのすべてを前記再生制御入力に応じて同様に制御する再生手段と、
を有する再生装置が提供される。
【手続補正５】
【補正対象書類名】明細書
【補正対象項目名】０００９
【補正方法】変更
【補正の内容】
【０００９】
また、本発明によれば、
コンピュータが、
映像に字幕が重畳されていない映像ファイルと字幕データとを含むテレビ放送用のコンテンツファイルから、映像に字幕が重畳されている１つ又は複数の字幕有映像ファイルと、映像に字幕が重畳されていない字幕無映像ファイルとを生成する生成工程を実行する処理方法が提供される。
【手続補正６】
【補正対象書類名】明細書
【補正対象項目名】００１０
【補正方法】変更
【補正の内容】
【００１０】
また、本発明によれば、
コンピュータを、
映像に字幕が重畳されていない映像ファイルと字幕データとを含むテレビ放送用のコンテンツファイルから、映像に字幕が重畳されている１つ又は複数の字幕有映像ファイルと、映像に字幕が重畳されていない字幕無映像ファイルとを生成する生成手段として機能させるプログラムが提供される。
【手続補正７】
【補正対象書類名】明細書
【補正対象項目名】００１１
【補正方法】変更
【補正の内容】
【００１１】
また、本発明によれば、
コンピュータが、
映像に字幕が重畳されていない映像ファイルと字幕データとを含むテレビ放送用のコンテンツファイルから生成された映像に字幕が重畳されている１つ又は複数の字幕有映像ファイルと、映像に字幕が重畳されていない字幕無映像ファイルとを記憶する外部装置に、コンテンツ要求を送信する送信工程と、
コンテンツを指定した前記コンテンツ要求に応じて前記外部装置から送信された１つ又は複数の字幕有映像ファイルと字幕無映像ファイルとを受信する受信工程と、
１つ又は複数の前記字幕有映像ファイルと前記字幕無映像ファイルとを用いて、指定された前記コンテンツの映像を再生し、１つ又は複数の字幕有映像及び字幕無映像を１つずつ再生する再生工程と、
画面表示する映像を切り替える切替入力を受付ける受付工程と
を実行し、
前記再生工程では、前記切替入力に応じて、１つ又は複数の字幕有映像及び字幕無映像の間で再生する映像を切り替える処理方法が提供される。
【手続補正８】
【補正対象書類名】明細書
【補正対象項目名】００１２
【補正方法】変更
【補正の内容】
【００１２】
また、本発明によれば、
コンピュータを、
映像に字幕が重畳されていない映像ファイルと字幕データとを含むテレビ放送用のコンテンツファイルから生成された映像に字幕が重畳されている１つ又は複数の字幕有映像ファイルと、映像に字幕が重畳されていない字幕無映像ファイルとを記憶する外部装置に、コンテンツ要求を送信する送信手段、
コンテンツを指定した前記コンテンツ要求に応じて前記外部装置から送信された１つ又は複数の字幕有映像ファイルと字幕無映像ファイルとを受信する受信手段、
１つ又は複数の前記字幕有映像ファイルと前記字幕無映像ファイルとを用いて、指定された前記コンテンツの映像を再生し、１つ又は複数の字幕有映像及び字幕無映像を１つずつ再生する再生手段、
画面表示する映像を切り替える切替入力を受付ける受付手段
として機能させ、
前記再生手段は、前記切替入力に応じて、１つ又は複数の字幕有映像及び字幕無映像の間で再生する映像を切り替えるプログラムが提供される。
【手続補正９】
【補正対象書類名】明細書
【補正対象項目名】００１３
【補正方法】変更
【補正の内容】
【００１３】
また、本発明によれば、
コンピュータが、
再生制御入力を受付ける受付工程と、
時間同期して１つ又は複数の字幕有映像及び字幕無映像を同時に再生し、１つ又は複数の前記字幕有映像及び前記字幕無映像を並べて画面表示し、１つ又は複数の前記字幕有映像と前記字幕無映像とのすべてを前記再生制御入力に応じて同様に制御する再生工程と、
を実行する再生方法が提供される。
【手続補正１０】
【補正対象書類名】明細書
【補正対象項目名】００１４
【補正方法】変更
【補正の内容】
【００１４】
また、本発明によれば、
コンピュータを、
再生制御入力を受付ける受付手段、
時間同期して１つ又は複数の字幕有映像及び字幕無映像を同時に再生し、１つ又は複数の前記字幕有映像及び前記字幕無映像を並べて画面表示し、１つ又は複数の前記字幕有映像と前記字幕無映像とのすべてを前記再生制御入力に応じて同様に制御する再生手段、
として機能させるプログラムが提供される。